(57)【要約】【課題】筐体構造として回転２軸構造を持ち、この回転２軸構造特有の通常閉じ状態とビューワ状態の双方の状態において高いアンテナ性能が得られる携帯無線機を提供する。【解決手段】表示部４１が露出しない状態で閉じられた場合は、表示部４１が露出した状態で閉じられた場合よりも第１、第２アンテナ素子２３、４３の間の距離を確保する。これにより、アンテナ相互の影響を低減でき、第１、第２アンテナ素子２３、４３の夫々において高いアンテナ性能を確保できる。表示部４１が露出した状態で閉じられた場合は、表示部４１が露出しない状態で閉じられた場合よりも第１、第２アンテナ素子２３、４３が近接するように配置する。これにより、第１、第２アンテナ素子２３、４３が結合し、第２アンテナ素子４３を給電素子、第１アンテナ素子２３を反射素子として用いることができ、表示部４１側に強い指向性を持ったアンテナを実現できる。【選択図】図２
2011244071.tif 000002
【特許請求の範囲】
【請求項１】
第１筐体と、
第２筐体と、
第３筐体と、
前記第１筐体と前記第２筐体とを第１の方向に回転自在に接続する第１ヒンジ部と、
前記第２筐体と前記第３筐体とを第２の方向に回転自在に接続する第２ヒンジ部と、
前記第３筐体に配置された表示部と、
前記第１筐体内に配置され、第１無線システム用の第１アンテナ素子と、
前記第３筐体内に配置され、第２無線システム用の第２アンテナ素子と、
前記第１アンテナ素子と前記第１筐体内の回路基板のグランドパターンとの間に設けられ、前記第２無線システムの動作周波数において特定のインピーダンスで終端する終端部と、を備え、
前記第１無線システムと前記第２無線システムとで動作周波数が異なり、
前記表示部が露出した状態で前記第１筐体と前記第２筐体とが閉じられた状態において、前記第１アンテナ素子と前記第２アンテナ素子とが近接し、
前記第１アンテナ素子と前記第２アンテナ素子とは、前記表示部が露出しない状態で閉じられた場合よりも前記表示部が露出した状態で閉じられた場合の方が近接するように配置されており、
前記表示部が露出した状態で閉じられた場合において、前記第１アンテナ素子が前記第２アンテナ素子の反射素子として動作することを特徴とする携帯無線機。
【請求項２】
前記第２無線システムはＧＰＳであることを特徴とする請求項１に記載の携帯無線機。
【発明の詳細な説明】
【技術分野】
【０００１】
本発明は、回転２軸構造を持つ折畳み式の携帯無線機に関する。
【背景技術】
【０００２】
近年の携帯電話機には、セルラ通信を行うための無線システム以外に複数の無線システム（ＧＰＳ（Global Positioning System、全地球測位システム）、ブルートゥース（登録商標）、ワンセグなど）が搭載されるようになってきている。また、折畳み式などに代表されるように、用途に応じてユーザが筐体状態を選択できるものもある。例えば、特許文献１で開示された折畳み式携帯無線機は、上筐体に内蔵アンテナ、下筐体に導体素子をそれぞれ備え、閉じ状態を選択したときに、下筐体の導体素子が上筐体の内蔵アンテナと結合して指向性を得ている。
【先行技術文献】
【特許文献】
【０００３】
【特許文献１】特開２００３−０３７４１５号公報
【発明の概要】
【発明が解決しようとする課題】
【０００４】
ところで、筐体状態を選択できる携帯無線機には、回転２軸構造（“スィーベル構造”とも呼ばれる）を持つものがあり、この回転２軸構造を持つ携帯無線機では、待ち受けでは閉じ状態（“通常閉じ状態”と呼ばれる）、通話時では開き状態、ワンセグ視聴時では画面が見える状態で閉じるビューワ状態を選択することができる。しかしながら、この回転２軸構造を持つ携帯無線機にあっては、閉じ状態とビューワ状態の双方の状態において満足できるアンテナ性能が得られてないという課題がある。
【０００５】
本発明は、係る事情に鑑みてなされたものであり、筐体構造として回転２軸構造を持ち、この回転２軸構造特有の通常閉じ状態とビューワ状態の双方の状態において高いアンテナ性能が得られる携帯無線機を提供することを目的とする。
【課題を解決するための手段】
【０００６】
本発明の携帯無線機は、第１筐体と、第２筐体と、第３筐体と、前記第１筐体と前記第２筐体とを第１の方向に回転自在に接続する第１ヒンジ部と、前記第２筐体と前記第３筐体とを第２の方向に回転自在に接続する第２ヒンジ部と、前記第３筐体に配置された表示部と、前記第１筐体内に配置され、第１無線システム用の第１アンテナ素子と、前記第３筐体内に配置され、第２無線システム用の第２アンテナ素子と、前記第１アンテナ素子と前記第１筐体内の回路基板のグランドパターンとの間に設けられ、前記第２無線システムの動作周波数において特定のインピーダンスで終端する終端部と、を備え、前記第１無線システムと前記第２無線システムとで動作周波数が異なり、前記表示部が露出した状態で前記第１筐体と前記第２筐体とが閉じられた状態において、前記第１アンテナ素子と前記第２アンテナ素子とが近接し、前記第１アンテナ素子と前記第２アンテナ素子とは、前記表示部が露出しない状態で閉じられた場合よりも前記表示部が露出した状態で閉じられた場合の方が近接するように配置されており、前記表示部が露出した状態で閉じられた場合において、前記第１アンテナ素子が前記第２アンテナ素子の反射素子として動作することを特徴とする。
【０００７】
上記構成によれば、第１アンテナ素子と第２アンテナ素子は、表示部が露出しない状態で閉じられた場合（即ち“通常閉じ状態”で閉じられた場合）よりも表示部が露出した状態で閉じられた場合（即ち“ビューワ状態”で閉じられた場合）の方が近接するように配置されるので、通常閉じ状態では第１アンテナ素子と第２アンテナ素子の間（アンテナ間）の距離を確保することができ、アンテナ相互の影響を低減できる。これにより、第１アンテナ素子及び第２アンテナ素子のそれぞれにおいて高いアンテナ性能を確保することができる。一方、ビューワ状態では、第１アンテナ素子と第２アンテナ素子とが結合し、第２アンテナ素子を給電素子、第１アンテナ素子を反射素子として用いることができるので、表示部側に強い指向性を得ることができる。
【０００８】
上記構成において、前記第２無線システムはＧＰＳであることを特徴とする。
【０００９】
上記構成によれば、第２無線システムをＧＰＳとした場合、ビューワ状態において表示部側に強い指向性が得られるので好ましい。
【発明の効果】
【００１０】
本発明によれば、筐体構造として回転２軸構造を持ち、この回転２軸構造特有の通常閉じ状態とビューワ状態の双方の状態において高いアンテナ性能が得られる。
【図面の簡単な説明】
【００１１】
【図１】本発明の一実施の形態に係る携帯無線機の概観を示す斜視図
【図２】図１の携帯無線機を通常閉じ状態で閉じた状態とビューワ状態で閉じた状態を示す概略図
【図３】図１の携帯無線機の終端部の概略構成を示すブロック図
【発明を実施するための形態】
【００１２】
以下、本発明を実施するための好適な実施の形態について、図面を参照して詳細に説明する。
【００１３】
図１は、本発明の一実施の形態に係る携帯無線機の概観を示す斜視図であり、同図の（ａ）は縦開き状態を示し、（ｂ）は縦開き状態、且つ第３筐体４を略９０度回転させた状態を示している。同図において、本実施の形態に係る携帯無線機１は、回転２軸構造を持つ折畳み式の携帯無線機であり、第１ヒンジ部１０が、第１筐体２と第２筐体３を回動自在に連結して第２筐体３の縦開き方向Ａ（図１の（ａ）参照、第１方向）の回動を可能にし、第２ヒンジ部１１が、第２筐体３と第３筐体４を回動自在に連結して第３筐体４の左右方向Ｂ（図１の（ｂ）参照、第２方向）の回動を可能にしている。第１筐体２の正面側にはキー操作部２１が設けられている。第３筐体４の正面側には表示部４１が設けられている。
【００１４】
図２の（ａ）は図１の携帯無線機１を通常閉じ状態で閉じた状態を示す概略図、図２の（ｂ）は図１の携帯無線機１をビューワ状態で閉じた状態を示す概略図である。同図において、携帯無線機１は、第１筐体２側に、第１無線システムを実装した回路基板２２と、第１アンテナ素子２３と、終端部２４とを備え、また第３筐体４側に、第２無線システムを実装した回路基板４２と、第２アンテナ素子４３とを備えている。
【００１５】
回路基板２２に実装された第１無線システムと回路基板４２に実装された第２無線システムとで動作周波数が異なっている。例えば、第１無線システムがブルートゥースで、第２無線システムがＧＰＳの場合、第１無線システムの動作周波数は２．４５ＧＨｚ帯となり、第２無線システムの動作周波数は１．５ＧＨｚ帯となる。終端部２４は、第１アンテナ素子２３と回路基板２２のグランドパターンとの間に介挿されており、第２無線システムの動作周波数において特定のインピーダンスで終端する。図３は、終端部２４の概略構成を示すブロック図である。同図において、終端部２４は、第２無線システムの動作周波数を遮断する遮断回路２４１と、第１アンテナ素子２３の位相を調整する位相調整回路２４２とを備える。
【００１６】
表示部４１が露出しない状態で閉じられた場合（“通常閉じ状態”で閉じられた場合）は、表示部４１が露出した状態で閉じられた場合（“ビューワ状態”で閉じられた場合）よりも第１アンテナ素子２３と第２アンテナ素子４３の間の距離を確保することができ、相互の影響を低減できる。これにより、第１アンテナ素子２３及び第２アンテナ素子４３のそれぞれにおいて高いアンテナ性能を確保することができる。
【００１７】
一方、表示部４１が露出した状態で閉じられた場合（“ビューワ状態”で閉じられた場合）は、表示部４１が露出しない状態で閉じられた場合よりも第１アンテナ素子２３と第２アンテナ素子４３とが近接するように配置されるので、第１アンテナ素子２３と第２アンテナ素子４３とが結合し、第２アンテナ素子４３を給電素子、第１アンテナ素子２３を反射素子として用いることができ、表示部４１側に強い指向性を持ったアンテナを実現できる。終端部２４の遮断回路２４１が第２無線システムの動作周波数を遮断するので、第１アンテナ素子２３は第２無線システムの動作周波数では動作しない。また、終端部２４の位相調整回路２４２で指向性の調整ができる。これにより、第２無線システムにＧＰＳ等の無線システムを好適に用いることができる。なお、指向特性は図２の（ｂ）に示すように矢印Ｃ方向となる。
【００１８】
このように、表示部４１が露出しない状態で閉じられた場合は、第１アンテナ素子２３と第２アンテナ素子４３の間の距離を確保することができ、第１アンテナ素子２３及び第２アンテナ素子４３のそれぞれにおいて高いアンテナ性能を確保することができる。また、表示部４１が露出した状態で閉じられた場合は、第２アンテナ素子４３を給電素子、第１アンテナ素子２３を反射素子として用いることができ、表示部４１側に強い指向性を持ったアンテナを実現できる。
【００１９】
このように本実施の形態に係る携帯無線機１によれば、第１筐体２と、第２筐体３と、第３筐体４と、第１筐体２と第２筐体３とを縦開き方向Ａ（第１方向）に回転自在に接続する第１ヒンジ部１０と、第２筐体３と第３筐体４とを左右方向Ｂ（第２方向）に回転自在に接続する第２ヒンジ部１１と、第３筐体４に配置された表示部４１と、第１筐体２内に配置され、第１無線システム用の第１アンテナ素子２３と、第３筐体４内に配置され、第２無線システム用の第２アンテナ素子４３と、第１アンテナ素子２３と第１筐体２内の回路基板２２のグランドパターンとの間に設けられ、第２無線システムの動作周波数において特定のインピーダンスで終端する終端部２４とを備え、第１無線システムと第２無線システムとで動作周波数が異なり、表示部４１が露出した状態で第１筐体２と第２筐体３とが閉じられた状態（ビューワ状態）において、第１アンテナ素子２３と第２アンテナ素子４３とが近接し、第１アンテナ素子２３と第２アンテナ素子４３とは、表示部４１が露出しない状態で閉じられた場合（通常閉じ状態の場合）よりも表示部４１が露出した状態で閉じられた場合の方が近接するように配置されており、表示部４１が露出した状態で閉じられた場合（ビューワ状態の場合）において、第１アンテナ素子２３が第２アンテナ素子４３の反射素子として動作するので、通常閉じ状態とビューワ状態の双方の状態において高いアンテナ性能を得ることができる。
【産業上の利用可能性】
【００２０】
本発明は、筐体構造として回転２軸構造を持ち、この回転２軸構造特有の通常閉じ状態とビューワ状態の双方の状態において高いアンテナ性能が得られるといった効果を有し、回転２軸構造を持つ携帯電話機やＰＨＳ（Personal Handy-Phone System）等の携帯無線機への適用が可能である。
【符号の説明】
【００２１】
１  携帯無線機
２  第１筐体
３  第２筐体
４  第３筐体
１０  第１ヒンジ部
１１  第２ヒンジ部
２１  キー操作部
２２、４２  回路基板
２３  第１アンテナ素子
２４  終端部
４１  表示部
４３  第２アンテナ素子
２４１  遮断回路
２４２  位相調整回路
【図１】
2011244071.tif 000003
【図２】
2011244071.tif 000004
【図３】
2011244071.tif 000005